(57)【要約】【課題】  より興趣性の高いアクセサリ生成玩具を提供する。【解決手段】  リング同士を連結具を用いて連結させることで、アクセサリを生成するアクセサリ生成玩具であって、リングが載置される第１の円板部材１０６と、第１の円板部材１０６の一部と重なるように配置され、かつ、第１の円板部材１０６の回転動作と同期して回転動作するよう構成されており、前記連結具を保持する第２の円板部材３０９と、操作部１０１の動作に応じて、第１の円板部材１０６に回転力を与える回転機構３０５と、操作部１０１の動作に応じて、第１の円板部材１０６と第２の円板部材３０９とが重なる位置において、第２の円板部材３０９に保持された連結具を、第１の円板部材１０６の方向に押圧することで、第１の円板部材１０６に載置された前記リングを連結具により連結させる押圧部材３０６とを備える。【選択図】  図１
2010184044.tif 000002
【特許請求の範囲】
【請求項１】
リング同士を連結具を用いて連結させることで、アクセサリを生成するアクセサリ生成玩具であって、
前記リングが載置される載置部が環状に配された第１の円板部材と、
前記第１の円板部材のうち、前記載置部が配された環状領域の一部と重なるように、該第１の円板部材と略平行に配置され、かつ、前記第１の円板部材の回転動作と同期して回転動作するよう構成されており、前記連結具が保持される保持部が環状に配された第２の円板部材と、
操作部の動作に応じて、前記第１の円板部材に回転力を与える回転機構と、
前記操作部の動作に応じて、前記第１の円板部材と前記第２の円板部材とが重なる領域において、該第２の円板部材に保持された連結具を、前記第１の円板部材の方向に押圧することで、前記第１の円板部材に載置された前記リング同士を該連結具により連結させる押圧部材と
を備えることを特徴とするアクセサリ生成玩具。
【請求項２】
前記第１の円板部材は、交換可能に構成されていることを特徴とする請求項１に記載のアクセサリ生成玩具。
【請求項３】
前記リングは、前記連結具により連結される位置を規定するための規定部を備えることを特徴とする請求項１に記載のアクセサリ生成玩具。
【請求項４】
前記載置部は、前記リングが嵌合する形状を有した溝であることを特徴する請求項１に記載のアクセサリ生成玩具。
【請求項５】
前記第１の円板部材は、異なる形状のリングが載置可能な載置部が環状に配されていることを特徴とする請求項４に記載のアクセサリ生成玩具。
【請求項６】
前記第２の円板部材に配された保持部は貫通孔であり、該貫通孔の側壁に所定の大きさの凸部を有し、該凸部において、前記連結具を保持することを特徴とする請求項１に記載のアクセサリ生成玩具。
【請求項７】
前記第１の円板部材の上方であって、該第１の円板部材が静止した状態における前記載置部の位置に配され、前記リングを上下に積み重ねて格納するリング供給部を更に備え、
前記リング供給部は、前記リングが載置されていない載置部が前記リング供給部の下方に到達した場合に、自重により、前記リングが落下することで、前記載置部に該リングが載置されるように構成されていることを特徴とする請求項１に記載のアクセサリ生成玩具。
【請求項８】
前記第２の円板部材の上方であって、該第２の円板部材が静止した状態における前記保持部の位置に配され、前記連結具を上下に積み重ねて格納する連結具供給部を更に備え、
前記連結具供給部は、前記連結具が保持されていない保持部が前記連結具供給部の下方に到達した場合に、自重により、前記連結具が落下することで、前記保持部に該連結具が保持されるように構成されていることを特徴とする請求項１に記載のアクセサリ生成玩具。
【発明の詳細な説明】
【技術分野】
【０００１】
本発明は、アクセサリ生成玩具に関するものである。
【背景技術】
【０００２】
従来より、複数のパーツを連結することによりチェーン状のアクセサリを生成するアクセサリ生成玩具が知られている。例えば、下記特許文献１には、リング同士を押し付けることで、互いのリングの切れ目の部分においてリング同士を連結させるアクセサリ生成玩具が開示されている。当該特許文献によれば、ハンドル操作を行うだけで簡単にリング同士を連結させることができる構成となっているため、年少者でも気軽にアクセサリ作りを楽しむことかできるという利点がある。
【先行技術文献】
【特許文献】
【０００３】
【特許文献１】特開２００６−２８０７０２号公報
【発明の概要】
【発明が解決しようとする課題】
【０００４】
しかしながら、上記特許文献１の場合、直交する２つのリングを１組とするリング同士を連結させていくことが前提となっており、リングを１つずつ追加していくことができないという制約がある。
【０００５】
また、連結しようとするリング同士の切れ目の位置が一致していることが前提となっており、同じ大きさ、同じ形状のリング同士しか連結させることができないという制約もある。
【０００６】
そこで、このような制約をうけることなくアクセサリ作りを行うことが可能なアクセサリ生成玩具を提供することができれば、アクセサリ作りの興趣性を更に向上させることができると考えられる。
【０００７】
本発明は上記課題に鑑みてなされたものであり、より興趣性の高いアクセサリ生成玩具を提供することを目的とする。
【課題を解決するための手段】
【０００８】
上記の目的を達成するために本発明に係るアクセサリ生成玩具は以下のような構成を備える。即ち、
リング同士を連結具を用いて連結させることで、アクセサリを生成するアクセサリ生成玩具であって、
前記リングが載置される載置部が環状に配された第１の円板部材と、
前記第１の円板部材のうち、前記載置部が配された環状領域の一部と重なるように、該第１の円板部材と略平行に配置され、かつ、前記第１の円板部材の回転動作と同期して回転動作するよう構成されており、前記連結具が保持される保持部が環状に配された第２の円板部材と、
操作部の動作に応じて、前記第１の円板部材に回転力を与える回転機構と、
前記操作部の動作に応じて、前記第１の円板部材と前記第２の円板部材とが重なる領域において、該第２の円板部材に保持された連結具を、前記第１の円板部材の方向に押圧することで、前記第１の円板部材に載置された前記リングを該連結具により連結させる押圧部材とを備えることを特徴とする。
【発明の効果】
【０００９】
本発明によれば、より興趣性の高いアクセサリ生成玩具を提供することが可能となる。
【図面の簡単な説明】
【００１０】
【図１】本発明の一実施形態に係るアクセサリ生成玩具の外観構成を示す図である。
【図２】アクセサリ生成玩具により生成されるアクセサリを構成するリング及び連結具を説明するための図である。
【図３】アクセサリ生成玩具の断面構成を示す図である。
【図４】アクセサリ生成玩具の連結機構を説明するための図である。
【図５】アクセサリ生成玩具の回転機構を説明するための図である。
【図６】アクセサリ生成玩具の位置決め機構を説明するための図である。
【図７】アクセサリ生成玩具のリング供給機構を説明するための図である。
【図８】アクセサリ生成玩具の連結具供給機構を説明するための図である。
【発明を実施するための形態】
【００１１】
以下、必要に応じて添付図面を参照しながら本発明の各実施形態を詳細に説明する。
【００１２】
［第１の実施形態］
＜アクセサリ生成玩具の外観構成＞
はじめに本発明の一実施形態に係るアクセサリ生成玩具の外観構成について説明する。図１は、本発明の一実施形態に係るアクセサリ生成玩具１００の外観構成を示す図である。
【００１３】
図１において、１０１は押圧操作部であり、ユーザがアクセサリを生成する際に、矢印１０２方向に押圧操作するための操作部である。
【００１４】
１０３はリング供給部であり、アクセサリの生成に用いるリングを供給する。１０４は連結具供給部であり、リング同士を連結するための連結具を供給する。
【００１５】
押圧操作部１０１の下方には、リング供給部１０３より供給されたリングを、連結位置（リング同士を連結具を用いて連結する位置）まで搬送するためのリング搬送部１０５が配されている。また、連結具供給部１０４より供給された連結具を、連結位置まで搬送するための連結具搬送部１０７が配されている。
【００１６】
リング搬送部１０５は、リング載置円板１０６を備えており、押圧操作部１０１が押圧されることより、リング載置円板１０６が回転し、リング供給部１０３より供給されたリングを連結位置まで搬送する。なお、連結具搬送部１０７には、不図示の連結具載置円板が配されており、リング載置円板１０６の回転と同期して回転することにより、連結具供給部１０４より供給された連結具を連結位置まで搬送する。なお、リング載置円板１０６及び連結具載置円板における回転動作のための機構の詳細は後述する。
【００１７】
連結位置において連結具により連結されたリングは、リング搬送部１０５の開口部１０８より排出される。なお、開口部１０８より排出され連結具により連結されたリングは、搬送阻止部１０９により再度のリング搬送が阻止される。ただし、連結具により連結されていないリングは、搬送阻止部１０９により搬送を阻止されることはないので、再度リング搬送部１０５により搬送されることとなる。
【００１８】
このように、本実施形態に係るアクセサリ生成玩具１００によれば、ユーザが押圧操作部１０１を１回押圧操作するごとに、連結具によりリング同士が連結され、開口部１０８より、当該連結されたリングが排出されることとなる。
【００１９】
＜リング及び連結具の構成＞
次に、アクセサリ生成玩具１００により生成されるアクセサリについて説明する。図２は、アクセサリ生成玩具１００により生成されるアクセサリを構成するリング及び連結具を説明するための図である。
【００２０】
図２において、２００はリングである。図２に示すように、リング２００はハート形状を有しており、所定の配色が施された透明のプラスチック部材により形成されている。リング２００のうち、連結具が接続される部分の前後には、規定部（係止部）２０１が設けられており、接続される連結具が、リング内の所定の領域内（係止部と係止部との間の領域内）に固定されるように構成されている。
【００２１】
２１０は連結具である。連結具２１０は互いに向いあったフック２１１、２１２及び２１３、２１４を備えている。なお、以下の説明において、フック２１１、２１２を総称して接続部２１５と称す。また、フック２１３、２１４を総称して接続部２１６と称す。
【００２２】
連結具２１０を構成するそれぞれの接続部２１５、２１６が、リング２００にそれぞれ接続されることで、リング２００同士が連結される。
【００２３】
連結具２１０はさらに、押圧面２１７を備えており、所定の間隔でリング載置円板１０６に環状に載置されたリング２００に対して、連結具２１０の押圧面２１７が押圧されることにより、接続部２１５、２１６がそれぞれのリング２００に接続されることとなる。
【００２４】
図２において、上側の図は、連結具２１０によりリング２００同士を連結する前の状態を示している。所定の間隔でリング２００同士を載置した状態で、連結具２１０の押圧面２１７を、上から押圧することにより、図２の下側の図に示すように、リング２００同士が連結具２１０により連結されることとなる。
【００２５】
なお、上述したように、各リング２００には規定部（係止部）２０１が設けられているため、連結具２１０が接続された位置が、規定部（係止部）２０１を越えてずれることはない。これにより連結具により連結されたリングが後に上下反転して連結されてしまうといった不具合の解消につながることとなる。
【００２６】
＜アクセサリ生成玩具の断面構成＞
次に、アクセサリ生成玩具１００の断面構成について説明する。図３は、アクセサリ生成玩具１００の断面構成を示す図である。
【００２７】
図３（Ａ）において、３０１はハウジングであり、後述する連結機構、回転機構、位置決め機構等を覆うとともに、押圧操作部１０１が矢印１０２方向に摺動する際の摺動面を構成する。
【００２８】
３０３はリング回転軸である。リング回転軸３０３は、押圧操作部１０１の摺動方向を規定するとともに、リング載置円板１０６の回転軸を構成する。
【００２９】
３０２は伝達部材であり、押圧操作部１０１が矢印１０２方向に押圧された際の押圧力を、押圧部材３０６に伝達する。伝達部材３０２は、連結具回転軸３０４に対して摺動可能に接続されている。これにより、押圧操作部１０１が押圧された場合に、伝達部材３０２は、平行状態を維持したまま、矢印１０２方向に移動することとなる。この結果、押圧部材３０６は、連結具載置円板３０９に対して、垂直方向に移動することとなる（つまり、連結具載置円板３０９上に載置された連結具の押圧面を垂直方向に押圧することとなる）。
【００３０】
図３（Ｂ）は、押圧操作部１０１が矢印１０２方向に押圧された様子を示している。なお、矢印１０２方向に押圧された押圧操作部１０１は、不図示のばねにより、元の位置（図３（Ａ））に戻るように構成されているものとする。
【００３１】
押圧部材３０６は、連結具載置円板３０９上に載置された連結具の押圧面２１７を押圧することにより、連結具２１０をリング２００に接続する。
【００３２】
３０９は連結具載置円板であり、連結具供給部１０４より供給された連結具が環状に載置され、連結位置まで搬送する。
【００３３】
３０５は回転操作部材である。回転操作部材は、伝達部材３０２の下面に配置されており、押圧操作部１０１の矢印１０２方向への移動に伴って移動し、リング載置円板１０６に接触することで、リング載置円板１０６をリング回転軸３０３回りに回転させる。押圧操作部１０１が１回押圧操作されることにより、環状に載置されたリング１個分の角度だけ、リング載置円板１０６が回転する。なお、回転操作部材３０５によりリング載置円板１０６を回転動作させるための機構の詳細は後述する。
【００３４】
３０７はリング回転体であり、リング載置円板１０６を支持するとともに、リング歯車３０８を保持する。
【００３５】
３１０は連結具回転体であり、連結具載置円板３０９を支持するとともに、連結具歯車３１１を保持する。そして、リング載置円板１０６の回転動作は、リング歯車３０８、連結具歯車３１１を介して、連結具載置円板３０９に伝達される。
【００３６】
なお、押圧操作部１０１が１回押圧操作されることにより、円周上に載置された連結具１個分の角度だけ、連結具載置円板３０９が回転するように、リング歯車３０８と連結具歯車３１１とのギア比が設定されているものとする。
【００３７】
＜連結動作のための機構＞
次にアクセサリ生成玩具１００における連結動作のための機構について説明する。図４は、アクセサリ生成玩具の連結機構を説明するための図である（紙面左側は、リング載置円板１０６と連結具載置円板３０９を上から見た様子を示しており、紙面右側は、連結位置における押圧部材３０６による連結動作を示している）。
【００３８】
図４において、４０１はリング載置溝（載置部）であり、リング載置円板１０６上において、リング２００が載置される位置を規定する。図４に示すように、本実施形態の場合、リング２００がハート形状であるため、リング載置溝４０１はハート形状を有している。なお、リング２００が他の形状を有していた場合には、当該他の形状に合致した形状を有することとなる。
【００３９】
リング載置溝４０１は、リング載置円板１０６上において環状に等間隔で設けられている。なお、図４の例では、１２個のリング載置溝４０１のうち、７個のリング載置溝４０１にリング２００が載置された様子を示している。
【００４０】
４０２は連結具貫通孔（保持部）であり、連結具載置円板３０９上において、連結具２１０が保持される位置を規定する。図４に示すように、連結具貫通孔４０２は、連結具２１０の平面形状と合致する形状の貫通孔であり、その側壁の一部に、連結具２１０を仮止めするための凸部４０３が設けられている。これにより、連結具２１０が連結具貫通孔４０２に供給された際に、連結具２１０が連結具貫通孔４０２を通り抜けて、下方に落下してしまうのを防いでいる。
【００４１】
ただし、連結位置において連結具２１０の押圧面２１７が押圧部材３０６により押圧された場合に、連結具２１０が連結具貫通孔４０２を通り抜けて下方に落下するように、適切な大きさに設計されているものとする。
【００４２】
ここで、リング載置円板１０６と連結具載置円板３０９は、リング載置溝４０１が配された環状領域の一部と、連結具貫通孔４０２が配された環状領域の一部とが重なるように、互いに平行に配置されている。
【００４３】
このため、リング載置円板１０６は矢印４０４方向に回転し、連結具載置円板３０９は矢印４０５方向に回転すると、リング２００及び連結具２１０はそれぞれ連結位置４００まで搬送されることとなる。
【００４４】
連結位置４００に搬送されたリング２００と連結具２１０との位置関係を図４の紙面右側に示す。図４の紙面右側は、連結位置４００を含むＡ−Ａ断面におけるリング２００と連結具２１０との位置関係を示した図である。
【００４５】
図４に示すように、連結位置４００では、連結具２１０は２つのリング２００のそれぞれの端部の中間位置上方に位置することとなる。この状態で、押圧部材３０６により押圧面２１７が押圧されると、連結具２１０がリング２００方向に移動し、連結具２１０の接続部２１５が一方のリング２００に接続され、連結具２１０の接続部２１６が他方のリング２００に接続される。
【００４６】
なお、図４に示すように、連結具２１０のそれぞれの接続部２１５、２１６がリング２００に確実に接続されるように、リング載置円板１０６のリング載置溝４０１には、接続部２１５、２１６の先端部が挿入されるスペースが設けられているものとする。
【００４７】
＜回転動作のための機構＞
次に、アクセサリ生成玩具１００における回転動作のための機構について説明する。図５は、アクセサリ生成玩具の回転機構を説明するための図である（紙面右上側は、リング載置円板１０６と連結具載置円板３０９を上からみた様子を、紙面右下側は、リング載置円板１０６と連結具載置円板３０９とを横からみた様子をそれぞれ示しており、紙面左側は、回転操作部材３０５による回転動作を示している）。
【００４８】
図５において、５００は回転溝であり、リング載置円板１０６上において、リング回転軸３０３周りに設けられている。紙面左側の図は、回転溝５００のＢ−Ｂ断面を示している。
【００４９】
図５の紙面左側に示すように、回転溝５００には、円周方向に複数の回転板５０１が等間隔で設けられている。押圧操作部１０１が矢印１０２方向に押圧され、回転操作部材３０５が矢印５２１方向に移動することで、回転操作部材３０５の斜面５１１が、回転板５０１に接触する。
【００５０】
図５の例では、斜面５１１が紙面左方向を向いているため、回転操作部材３０５の斜面５１１が接触することにより、回転板５０１は矢印５２２方向に力を受ける。この結果、回転溝５００が矢印５２２方向に移動する。この結果、リング載置円板１０６が矢印４０４方向に回転する。
【００５１】
なお、上述したように、リング載置円板１０６を支持するリング回転体３０７は、リング歯車３０８を保持しており、リング載置円板１０６の回転力は、連結具歯車３１１を介して連結具載置円板３０９に伝達される。つまり、押圧操作部１０１が１回押圧操作されることにより、リング載置円板１０６が矢印４０４方向（時計回り）に、連結具載置円板３０９が矢印４０５方向（反時計回り）にそれぞれ回転することとなる。
【００５２】
＜位置決め動作のための機構＞
次に、アクセサリ生成玩具１００における位置決め動作について説明する。上述した回転機構により回転動作するリング載置円板１０６及び連結具載置円板３０９は、所定の位置において静止するように、位置決めされる。図６は、アクセサリ生成玩具の位置決め機構を説明するための図である。なお、図６では、説明をわかりやすくするために、リング載置円板１０６上に設けられているリング載置溝４０１は省略して図示している。
【００５３】
図６（Ａ）において、６００は摺動円板であり、リング載置円板１０６の裏面側にリング載置円板１０６と同心円状に設けられており、外周面が凹凸形状を有している。６０１は摺動円板６００の凹面である。６１０は位置決め部材であり、先端部６１１が、摺動円板６００の凹面６０１の形状とほぼ一致する形状となっている。
【００５４】
６１２〜６１４はスライド孔である。６１５〜６１７はスライドバーであり、ハウジング３０１側に固定されている。スライド孔６１２〜６１４とスライドバー６１５〜６１７とにより、位置決め部材６１０の矢印６２０方向のスライド動作が規定されている。
【００５５】
スライドバー６１７にはバネ６１９の一端が取り付けられている。バネ６１９の他端は、位置決め部材６１０上に設けられた留め具６１８に取り付けられている。かかる構成により、位置決め部材６１０は、常に、摺動円板６００の凹面６０１方向に付勢されていることとなる。この結果、リング載置円板１０６は、図６（Ａ）の位置に位置決めされることとなる。
【００５６】
一方、押圧操作部１０１が押圧操作され、回転板５０１が回転操作部材３０５の斜面５１１から押圧力を受けることで、リング載置円板１０６が回転動作を開始すると、図６（Ｂ）の状態となる。図６（Ｂ）は、位置決め部材６１０の先端部６１１が、摺動円板６００の凹面に嵌合しておらず、不安定な状態である。
【００５７】
そして、押圧操作部１０１に対する押圧操作により、リング載置円板１０６がさらに回転し、位置決め部材６１０の先端部６１１が、摺動円板６００の凹面６０１にかかると、摺動円板６００は、位置決め部材６１０のバネ６１９による凹面方向への付勢力により、更に、回転することとなる。
【００５８】
そして、位置決め部材６１０の先端部６１１が摺動円板６００の凹面６０１に嵌合する位置に到達すると、リング載置円板１０６は回転動作を停止させる。つまり、位置決め部材６１０の先端部６１１が摺動円板６００の凹面６０１に嵌合する位置において、リング載置円板１０６が位置決めされたこととなる（図６（Ｃ））。
【００５９】
＜リング供給部におけるリング供給機構＞
次にアクセサリ生成玩具１００のリング供給部１０３におけるリング供給機構について説明する。図７は、アクセサリ生成玩具１００のリング供給部１０３のリング供給機構を説明するための図である。
【００６０】
図７に示すように、リング供給部１０３は、リング２００を上下に積み重ねて格納することができるように、リング２００の形状に合致した内周面を有している。
【００６１】
図７（Ａ）は、リング載置溝４０１にリング２００が載置された直後の様子を示している。この状態で、リング載置円板１０６が回転動作すると、図７（Ｂ）に示すように、リング載置円板１０６上に載置されたリング２００の上面は、次に載置されるリング２００の下面と接触しながら、移動する。
【００６２】
次のリング載置溝４０１が、リング供給部１０３の真下にくるまでは、次に載置されるリング２００が落下することはない（図７（Ｃ）、（Ｄ））。
【００６３】
そして、次のリング載置溝４０１が、リング供給部１０３の真下に到達すると、リング２００が自重により落下し、リング載置溝４０１に載置される（図７（Ｅ））。リング載置溝４０１の深さは、リング２００が１個載置可能な深さに設計されるため、２個以上のリング２００が続けて落下することはない。
【００６４】
＜連結具供給部における連結具供給機構＞
次にアクセサリ生成玩具１００の連結具供給部における連結具供給機構について説明する。図８は、アクセサリ生成玩具１００の連結具供給部１０４の連結具供給機構を説明するための図である。
【００６５】
図８に示すように、連結具供給部１０４は、連結具２１０を上下に積み重ねて格納することができるように、連結具２１０の形状に合致した内周面を有している。
【００６６】
図８（Ａ）は、連結具貫通孔４０２に連結具２１０が保持された直後の様子を示している。この状態で、連結具載置円板３０９が回転動作すると、図８（Ｂ）に示すように、連結具載置円板３０９上に載置された連結具２１０の上面は、次に保持される連結具２１０の下面と接触しながら、移動する。
【００６７】
次の連結具貫通孔４０２が、連結具供給部１０４の真下にくるまでは、次に保持される連結具２１０が落下することはない（図８（Ｂ）、（Ｃ））。
【００６８】
そして、次の連結具貫通孔４０２が、連結具供給部１０４の真下に到達すると、連結具２１０が自重により落下し、連結具貫通孔４０２に保持される（図８（Ｄ））。連結具貫通孔４０２の凸部４０３は、連結具貫通孔４０２に連結具２１０が保持された際に、連結具２１０の押圧面２１７が、連結具載置円板３０９の上面とほぼ同じ高さになるように設けられているため、２個以上の連結具２１０が続けて落下することはない。
【００６９】
以上の説明から明らかなように、本実施形態に係るアクセサリ生成玩具では、押圧操作部を押圧操作することで、リング載置円板と連結具載置円板とが回転動作するとともに、連結位置において、押圧部材が連結具を押圧し、リングを連結させる構成とした。
【００７０】
これにより、簡単な操作でリングを連結させ、アクセサリを生成することが可能となった。
【００７１】
また、本実施形態に係るアクセサリ生成玩具では、リングを１つずつ追加させることができるとともに、連結に際してリング同士の切れ目を利用することもないため、アクセサリの生成に際して不必要な制約を受けることもない。この結果、アクセサリの生成における興趣性がより向上することとなる。
【００７２】
［第２の実施形態］
上記第１の実施形態では、リングの形状として、ハート形状を例に説明したが、本発明はこれに限定されるものではなく、他の形状であってもよい。
【００７３】
また、上記第１の実施形態では、リング載置円板上に、同一形状のリングを載置させることとしたが、本発明はこれに限定されず、リング載置円板上に異なる形状のリングを載置できるように構成してもよい。この場合、載置されるリングの形状に合ったリング載置溝が環状に形成されることとなる。
【００７４】
また、上記第１の実施形態では、１種類のリング載置円板について説明したが、本発明はこれに限定されず、複数種類のリング載置円板を用意し、交換可能に構成してもよい。
【００７５】
また、上記第１の実施形態では、リング供給部を１つのみ有する場合について説明したが、本発明はこれに限定されず、複数のリング供給部を配するように構成してもよい。その場合、各リング供給部は同じ形状のリングを供給するように構成してよいし、異なる形状のリングを供給するように構成してもよい。
【図１】
2010184044.tif 000003
【図２】
2010184044.tif 000004
【図３】
2010184044.tif 000005
【図４】
2010184044.tif 000006
【図５】
2010184044.tif 000007
【図６】
2010184044.tif 000008
【図７】
2010184044.tif 000009
【図８】
2010184044.tif 000010